(57)【要約】【課題】商品である下半身衣類の特長を容易に認識することのできる見本用衣類を提供する。【解決手段】この見本用衣類１００は、展示販売対象の商品である下半身衣類（ここでは紳士用レギンス）と同じ構成の見本用衣類であって、下半身衣類の購入検討者へ訴求する特長を表す文字およびイラスト１１０が、購入検討者が視覚により容易に認識できるように下半身衣類に直接印刷してあり、そのウエスト部がハンガー３００のクリップで挟持されて、そのハンガー３００が展示販売用什器である移動式ハンガーラック２００に掛けられ、販売商品そのものを包装した多数のパッケージが整列されて陳列された別の展示販売用什器の近傍に置かれる。【選択図】図１
0003202321.tif 000002
【実用新案登録請求の範囲】
【請求項１】
展示販売対象の商品である下半身衣類と同じ構成の見本用衣類であって、
前記下半身衣類の購入検討者へ訴求する特長を表す文字またはイラストを、前記下半身衣類に直接表示してあることを特徴とする見本用衣類。
【考案の詳細な説明】
【技術分野】
【０００１】
本考案は、下半身衣類の展示販売（陳列販売と同義）に用いられる見本用衣類に関し、特に、その下半身衣類の特長を購入検討者へ効果的に訴求する見本用衣類に関する。ここで、下半身衣類とは、人が下半身に着用する全ての衣類であって、ショーツ、アンダーシャツ、パンティストッキング、タイツ、レギンス、靴下、フットカバー等を含み、特に試着が好ましくない下半身衣類も含む。
【背景技術】
【０００２】
一般に、衣類は、需要促進、販売促進、購入意欲喚起等のため、新素材の利用、着用性、体形補正等の各種の機能性向上や種々の改良が行われ、それらの改良がなされた衣類を展示販売するために、衣類に適したパッケージが種々工夫されている。
このようなパッケージとして、たとえば、本出願人が出願して実用新案登録されている、厚手タイツ用パッケージ（特許文献１：実用新案登録第３１９０５６１号公報）、試着が好ましくない衣類用のパッケージ（特許文献２：実用新案登録第３１９２７４６号公報）がある。
【０００３】
特許文献１に開示されたパッケージによると、厚手タイツに好適に用いられ、吊り下げても重ね合わせても破損することを回避できる、吊り下げタイプのパッケージを提供することができ、特許文献２に開示されたパッケージによると、試着が好ましくない衣類に好適に用いられ、吊り下げても平置きしても立て掛けても商品価値を損なうことがなく、商品の肌触りおよび形状等を直接確認することができる、衣類用のパッケージを提供することができる。なお、これらのパッケージの外面には、その衣類の特長についての情報が、文字またはイラストで表示されていることが多い。
【先行技術文献】
【特許文献】
【０００４】
【特許文献１】実用新案登録第３１９０５６１号公報
【特許文献２】実用新案登録第３１９２７４６号公報
【考案の概要】
【考案が解決しようとする課題】
【０００５】
上述した特許文献１および特許文献２に開示されたようなパッケージを用いると従来のパッケージが抱えていた問題点を解決することができて好ましい。ところで、衣類を展示販売する場合には、店頭において、購入検討者が衣類全体の特長を確かめるための展示用サンプル（展示用見本）、または、購入検討者がサイズ等を確かめるための試着用サンプル（試着用見本）が置かれることが多い。
【０００６】
しかしながら、このような展示用見本は商品そのものであるために、購入検討者は、この展示用見本とパッケージに表示されている情報（文字またはイラスト）とを見比べながら、その商品の特長を認識しなければならない等の問題点がある。
本考案は、従来技術の上述の問題点に鑑みて開発されたものであり、その目的とするところは、商品である下半身衣類の特長を容易に認識することのできる見本用衣類を提供することである。
【課題を解決するための手段】
【０００７】
上記目的を達成するため、本考案に係る、見本用衣類は以下の技術的手段を講じている。
すなわち、本考案に係る見本用衣類は、展示販売対象の商品である下半身衣類と同じ構成の見本用衣類であって、前記下半身衣類の購入検討者へ訴求する特長を表す文字またはイラストを、前記下半身衣類に直接表示してあることを特徴とする。
【考案の効果】
【０００８】
本考案の見本用衣類によれば、商品である下半身衣類の特長を容易に認識することのできる見本用衣類を提供することができる。
【図面の簡単な説明】
【０００９】
【図１】本考案の実施の形態に係る見本用衣類の吊り下げ状態を示す図である。
【考案を実施するための形態】
【００１０】
以下、本考案の実施の形態に係る見本用衣類１００を、図面に基づき詳しく説明する。なお、この見本用衣類１００が好ましく適用される衣類は下半身衣類である。ここで、下半身衣類とは人が下半身に着用する全ての衣類であって、ショーツ、アンダーシャツ、パンティストッキング、タイツ、レギンス、靴下、フットカバー等を含み、特に試着が好ましくない下半身衣類も含むが、以下においては紳士用レギンスであるとして説明する。この見本用衣類１００が好ましく適用される衣類としては、このような紳士用レギンスに限定されるものではなく、上述した下半身衣類である。
【００１１】
図１の見本用衣類１００の吊り下げ状態を示す図を参照して、この見本用衣類１００は、展示販売対象の商品である下半身衣類（ここでは紳士用レギンス）と同じ構成の見本用衣類であって、下半身衣類の購入検討者へ訴求する特長を表す文字またはイラスト（ここでは文字およびイラスト１１０であるとする）を、下半身衣類に直接表示（ここでは直接印刷）してある。
【００１２】
なお、文字およびイラスト１１０により表現されるこの下半身衣類の特長を直接印刷する場合、好ましくは、それらの特長に対応する部分にそれぞれ直接印刷する。さらに、直接印刷する場合には、下半身衣類を構成する生地の組成に対して好ましいインクおよび印刷方法（たとえばインクジェット方法）が採用され、文字およびイラスト１１０の内容を購入検討者が視覚により一目で認識できるように、生地の色に対して適切なインクの色（色の３属性である色相、明度、彩度）が採用され（たとえば反対系の色彩が採用され）、ここでは、黒い生地に対して明るい色彩（白っぽい色彩）のインクが採用されている。
【００１３】
図１に示すように、この見本用衣類１００には、この下半身衣類の特長としての文字およびイラスト１１０として、太腿部および裾部にこの下半身衣類である紳士用レギンスの伸縮性の特長を表現している。さらに、一般的には婦人向けであることが多いレギンスについて、その紳士用が新発売されたことを示す文字も、太腿部に表現されている。さらに、このような情報は、遠くからも視覚により容易に確認できるように、インパクトのある大きな文字またはイラストでその商品の特長を表すようにしており、商品の注目度を高めて、購入検討者の誘引を図っている。
【００１４】
そして、このように展示販売商品である下半身衣類の特長が文字およびイラスト１１０により表現された見本用衣類１００は、そのウエスト部がハンガー３００のクリップで挟持されて、そのハンガー３００が展示販売用什器である移動式ハンガーラック２００に掛けられる。そして、販売商品そのものを包装した多数のパッケージ（たとえば上述した特許文献１または特許文献２に開示したパッケージ）を色別やサイズ別に整列されて陳列された別の展示販売用什器の近傍に、その移動式ハンガーラック２００が置かれる。
【００１５】
このように、購入検討者がこの見本用衣類１００を直接的に触って素材の表面感触（履き心地感覚）、生地の伸縮性、仕上げの状態、縫製の状態等の特長を、その特長の部位に合わせて容易に認識することができる。さらに、たとえば、このレギンスに模様が付されている場合であって伸縮によりこの模様が変化するとしても、この見本用衣類１００を直接触って履いた時を想定して生地を伸ばしてその状態を視覚により容易に認識することができる。このため、触覚と視覚とを用いて、試着するまでもなく着用したレギンスの模様を認識することができる。従って、購入検討者は店員等に尋ねる必要がなく、店舗側は店員等を配置することなく、下半身衣類の販売を促進することができる。
【００１６】
ここで、この見本用衣類１００は特長を単に印刷したものであるので（タグやラベル等が付けられていない）、購入検討者がサイズ等を確かめるための試着用サンプル（試着用見本）と兼用することも可能である。なお、試着するまでもなく、この見本用衣類１００により特長を容易に認識することができる点は上述した通りであって（試着しないで視覚および触覚で特長を認識）、このように認識した上でさらに履き心地を実際に試着して認識することになる。
【００１７】
以上のようにして、本実施の形態に係る見本用衣類１００によると、商品である下半身衣類（ここでは紳士用レギンス）の特長を容易に認識することができる。
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００１８】
本考案は、商品である下半身衣類の見本として好適であり、その下半身衣類の特長を購入検討者が容易に認識することができる点で特に好適である。
【符号の説明】
【００１９】
１００    見本用衣類（レギンス）
２００    移動式ハンガーラック
３００    ハンガー
【図１】
0003202321.tif 000003